(57)【要約】【課題】複雑な信号処理やハ−ドウェアを必要とせずに、サンプルガスの濃度を測定する方法、および、必要最小限の部品のみを用いることで安価かつ小型の超音波反射式ガス濃度測定装置を提供する。【解決手段】空気中から酸素を分離する酸素濃縮手段と、酸素濃縮手段の下流の酸素濃縮空気が流れる配管中に対向させて配置した超音波を送受信する超音波振動子および反射板と、受信超音波のゼロクロス時間検出手段とを備えた酸素濃縮装置において、該ゼロクロス時間検出手段が酸素濃縮空気中で送受信された超音波の受信波形からゼロクロス時間を検出し、真の超音波伝播時間の取り得る範囲を導き出し、該超音波伝播時間の取り得る範囲に入るまで該ゼロクロス時間から受信超音波の１周期分の時間を整数倍巻き戻すことによって真の超音波伝播時間を演算することを特徴とする医療用酸素濃縮装置。【選択図】  なし【特許請求の範囲】
【請求項１】
空気中から酸素を分離する酸素濃縮手段と、酸素濃縮手段の下流の酸素濃縮空気が流れる配管中に対向させて配置した超音波を送受信する超音波振動子および反射板と、受信超音波のゼロクロス時間検出手段とを備えた酸素濃縮装置において、該ゼロクロス時間検出手段が酸素濃縮空気中で送受信された超音波の受信波形からゼロクロス時間を検出し、真の超音波伝播時間の取り得る範囲を導き出し、該超音波伝播時間の取り得る範囲に入るまで該ゼロクロス時間から受信超音波の１周期分の時間を整数倍巻き戻すことによって真の超音波伝播時間を演算することを特徴とする医療用酸素濃縮装置。
【請求項２】
該真の超音波伝播時間のとりうる範囲を、酸素濃縮空気の濃度範囲および温度範囲から導き出すことを特徴とする請求項１に記載の酸素濃縮装置。
【請求項３】
該超音波振動子と該超音波反射板の間の距離が、酸素濃縮空気の酸素濃度範囲および温度範囲に基づいて、酸素濃縮空気中で超音波の送受信を実施した際に得られる真の超音波伝播時間の取り得る範囲の幅が受信超音波の１周期分の時間未満になる距離に設定されていることを特徴とする請求項１または請求項２に記載の医療用酸素濃縮装置。
【請求項４】
酸素濃縮空気が流れる該配管中に、酸素濃縮空気の温度を測定する温度センサを備えたことを特徴とする請求項１〜３のいずれか一項に記載の酸素濃縮装置。
【請求項５】
該超音波振動子と該超音波反射板の間の距離（Ｌ）が、次式を満たすことを特徴とする請求項１〜４のいずれか一項に記載の医療用酸素濃縮装置。
２Ｌ／Ｃｍｉｎ（Ｔｍｉｎ）  −  ２Ｌ／Ｃｍａｘ（Ｔｍｉｎ）  ＜  １／ｆｒ
但し、
Ｃｍｉｎ（Ｔｍｉｎ）：酸素濃縮空気の温度下限値（Ｔｍｉｎ℃）において、酸素濃縮空気の濃度範囲から計算される静止ガス中を伝播する超音波の理論的音速範囲の下限値［ｍ／ｓｅｃ］
Ｃｍａｘ（Ｔｍｉｎ）：酸素濃縮空気の温度下限値（Ｔｍｉｎ℃）において、酸素濃縮空気の濃度範囲から計算される静止ガス中を伝播する超音波の理論的音速範囲の上限値［ｍ／ｓｅｃ］
ｆｒ：酸素濃縮空気中を伝播する超音波の受信周波数［Ｈｚ］
【請求項６】
サンプルガスが流れる配管中に対向させて配置した超音波を送受信する超音波振動子および反射板と、受信超音波のゼロクロス時間検出手段とを備えたガス濃度測定装置において、該ゼロクロス時間検出手段がサンプルガス中で送受信された超音波の受信波形からゼロクロス時間を検出し、真の超音波伝播時間の取り得る範囲を導き出し、該超音波伝播時間の取り得る範囲に入るまで該ゼロクロス時間から受信超音波の１周期分の時間を整数倍巻き戻すことによって真の超音波伝播時間を演算する手段であることを特徴とする超音波反射式ガス濃度測定装置。
【請求項７】
該真の超音波伝播時間のとりうる範囲を、酸素濃縮空気の濃度範囲および温度範囲から導き出すことを特徴とする請求項６に記載の超音波反射式ガス濃度測定装置。
【請求項８】
該超音波振動子と該超音波反射板の間の距離が、酸素濃縮空気の酸素濃度範囲および温度範囲に基づいて、サンプルガス中で超音波の送受信を実施した際に得られる真の超音波伝播時間の取り得る範囲の幅が受信超音波の１周期分の時間未満になる距離に設定されていることを特徴とする請求項６または請求項７に記載の超音波反射式ガス濃度測定装置。
【請求項９】
サンプルガスが流れる該配管中に、サンプルガスの温度を測定する温度センサを備えたことを特徴とする請求項６〜８のいずれか一項に記載の超音波反射式ガス濃度測定装置。
【請求項１０】
該超音波振動子と該超音波反射板の間の距離（Ｌ）が、次式を満たすことを特徴とする請求項６〜９のいずれか一項に記載の超音波反射式ガス濃度測定装置。
２Ｌ／Ｃｍｉｎ（Ｔｍｉｎ）  −  ２Ｌ／Ｃｍａｘ（Ｔｍｉｎ）  ＜  １／ｆｒ
但し、
Ｃｍｉｎ（Ｔｍｉｎ）：サンプルガスの温度下限値（Ｔｍｉｎ℃）において、サンプルガスの濃度範囲から計算される静止サンプルガス中を伝播する超音波の理論的音速範囲の下限値［ｍ／ｓｅｃ］
Ｃｍａｘ（Ｔｍｉｎ）：サンプルガスの温度下限値（Ｔｍｉｎ℃）において、サンプルガスの濃度範囲から計算される静止サンプルガス中を伝播する超音波の理論的音速範囲の上限値［ｍ／ｓｅｃ］
ｆｒ：サンプルガス中を伝播する超音波の受信周波数［Ｈｚ］
【請求項１１】
サンプルガス中で送受信された超音波の受信波形からゼロクロス時間を検出するステップ、真の超音波伝播時間の取り得る範囲を導き出すステップ、該超音波伝播時間の取り得る範囲に入るまで該ゼロクロス時間から受信超音波の１周期分の時間を整数倍巻き戻すことにより真の超音波伝播時間を演算するステップ、該真の超音波伝播時間からサンプルガスの濃度を演算するステップを有することを特徴とする超音波ガス濃度測定方法。
【請求項１２】
該真の超音波伝播時間のとりうる範囲を、酸素濃縮空気の濃度範囲および温度範囲から導き出すことを特徴とする請求項１１に記載の超音波ガス濃度測定方法。
【請求項１３】
超音波を送受信する超音波振動子と該超音波反射板の間の距離が、酸素濃縮空気の酸素濃度範囲および温度範囲に基づいて、サンプルガス中で超音波の送受信を実施した際に得られる真の超音波伝播時間の取り得る範囲の幅が受信超音波の１周期分の時間未満になる距離に設定されていることを特徴とする請求項１１または請求項１２に記載の超音波ガス濃度測定方法。
【請求項１４】
該超音波振動子と該超音波反射板の間の距離（Ｌ）が、次式を満たす距離を選定することを特徴とする請求項１１〜１３のいずれか一項に記載の超音波ガス濃度測定方法。
２Ｌ／Ｃｍｉｎ（Ｔｍｉｎ）  −  ２Ｌ／Ｃｍａｘ（Ｔｍｉｎ）  ＜  １／ｆｒ
但し、
Ｃｍｉｎ（Ｔｍｉｎ）：サンプルガスの温度下限値（Ｔｍｉｎ℃）において、サンプルガスの濃度範囲から計算される静止サンプルガス中を伝播する超音波の理論的音速範囲の下限値［ｍ／ｓｅｃ］
Ｃｍａｘ（Ｔｍｉｎ）：サンプルガスの温度下限値（Ｔｍｉｎ℃）において、サンプルガスの濃度範囲から計算される静止サンプルガス中を伝播する超音波の理論的音速範囲の上限値［ｍ／ｓｅｃ］
ｆｒ：サンプルガス中を伝播する超音波の受信周波数［Ｈｚ］
【発明の詳細な説明】
【０００１】
【発明の属する技術分野】
本発明は、超音波により、サンプルガスの濃度を測定する装置に関するものである。さらに詳細には、例えば医療目的で使用される酸素濃縮器から送り出されたサンプルガス中の酸素濃度の測定に適する装置に関するものである。
【０００２】
【従来の技術】
近年、慢性閉塞性肺疾患や肺結核後遺症等の呼吸器疾患患者が増加する傾向にあるが、その最も効果的な治療法の一つとして酸素吸入法があり、空気中から酸素濃縮気体を直接分離する酸素濃縮装置が開発され、使用時の利便性、保守管理の容易さから酸素吸入法のための治療器として次第に普及してきている。また、呼吸器疾患を持たない健常人に対しても、健康維持またはリフレッシュ用途として酸素吸入法が広まりつつあり、酸素濃縮装置が利用されている。
【０００３】
かかる酸素濃縮装置としては、（１）酸素選択透過膜を用いた膜分離型酸素濃縮装置、（２）窒素を選択的に吸着し得る吸着剤を用いた吸着型酸素濃縮装置、または、（３）酸素イオンを選択的に透過する固体電解質膜を利用し、電気化学的に酸素を生成する装置、などがあるが、吸着型酸素濃縮装置が最も一般的である。吸着型酸素濃縮装置としては、空気圧縮装置を用いた圧力変動吸着型酸素濃縮装置があり、通常、窒素を選択的に吸着し得る吸着剤を充填した吸着筒に、コンプレッサで圧縮した圧縮空気を導入して加圧状態で窒素を吸着させることにより酸素濃縮気体を得る吸着工程と、吸着筒の内圧を減少させて窒素を脱着させ吸着剤の再生を行う脱着工程を交互に行うことにより酸素濃縮気体を使用者に供給する酸素濃縮装置である。
【０００４】
このような酸素濃縮装置には供給する酸素濃縮空気の酸素濃度をモニタリングする酸素濃度センサが搭載され、ジルコニア式酸素濃度センサの他、超音波式酸素濃度センサが使用される。
【０００５】
サンプルガス中を伝播する超音波の伝播速度は、サンプルガスの濃度、温度の関数として表されることが広く知られている。サンプルガスの平均分子量をＭ、温度をＴ［Ｋ］とすれば、サンプルガス中の超音波伝播速度Ｃ［ｍ／ｓｅｃ］は、次式で表される。
【０００６】
【数１】
2004361306.tif 000002
【０００７】
ここで、ｋ、Ｒは定数（ｋ：定積モル比熱と定圧モル比熱の比、Ｒ：気体定数）である。すなわち、サンプルガス中の超音波伝播速度Ｃ［ｍ／ｓｅｃ］とサンプルガスの温度Ｔ［Ｋ］が測定できれば、サンプルガスの平均分子量Ｍを決定できる。該サンプルガスが、例えば酸素と窒素の２分子からなるガスであれば、ｋ  ＝  １．４となることが知られている。該サンプルガスの平均分子量Ｍは、酸素の分子量を３２、窒素の分子量を２８として、例えば酸素１００×Ｐ［％］（０≦Ｐ≦１）と窒素１００×（１−Ｐ）［％］の場合においては、Ｍ  ＝  ３２ Ｐ＋２８  （１−Ｐ）と記述することができ、測定された平均分子量Ｍから酸素濃度Ｐを決定できる。
【０００８】
超音波反射式ガス濃度測定装置の特徴として、サンプルガスの流量に関わらずサンプルガスの濃度を測定することが可能である。すなわち、サンプルガスの流速が０でのサンプルガス中の超音波伝播速度がＣ［ｍ／ｓｅｃ］であれば、超音波振動子から超音波反射板に向かう方向へのサンプルガスの流速がＶ［ｍ／ｓｅｃ］であったとき，超音波振動子から超音波反射板に向かう超音波伝播速度はＣ＋Ｖとなり、超音波反射板にて反射された超音波が該超音波振動子に戻る方向への超音波伝播速度はＣ‐Ｖとなる。超音波反射式の装置にて測定される超音波の伝播速度は、往復する超音波の平均速度となるため、サンプルガスの流速Ｖはキャンセルされて、サンプルガスの流速が０でのサンプルガス中の超音波伝播速度Ｃが測定されることになる。
【０００９】
該原理を利用し、サンプルガス中を伝播する超音波の伝播速度もしくは伝播時間からサンプルガスの濃度を測定する方法及び装置に関しては、種々の提案が行われている。たとえば、特開平６−２１３８７７号公報には、サンプルガスが通る配管中に超音波振動子２つを対向させて配置し、該超音波振動子間を伝播する超音波の伝播時間を計測することによってサンプルガスの濃度及び流量を測定する装置が記載されている。また、特開平７−２０９２６５号公報や特開平８−２３３７１８号公報には、超音波振動子１つを使用した音波反射方式でセンシングエリア内を伝播する超音波の伝播速度もしくは伝播時間を測定することにより、サンプルガスの濃度を測定する装置が記載されている。
【００１０】
【特許文献１】
特開平６−２１３８７７号公報
【特許文献２】
特開平７−２０９２６５号公報
【特許文献３】
特開平８−２３３７１８号公報
【特許文献４】
特開平９−３１８６４４号公報
【特許文献５】
特開昭６０−１３８４２２号公報
【００１１】
【発明が解決しようとする課題】
このような超音波の伝播速度を用いてサンプルガスの濃度を正確に測定する方法および装置においては、超音波の伝播時間を正確に検出しなければならない。しかしながら、超音波の受信波形には常にノイズ成分が含まれており、超音波を受信した瞬間の時間を直接検出することは非常に困難であり、一般的に複雑な信号処理手法や、複雑なハ−ドウェアを搭載することにより、超音波伝播時間を推定する方法が用いられている。たとえば、特開平９−３１８６４４号公報には、受信された超音波波形を積分し、その積分出力が基準値に達したのちにおける受信波のゼロクロス時間を流速測定のための超音波伝播時間とする方法が記載されている。該方法により、受信波形の振幅が多少変動したとしてもゼロクロスのタイミングが変動しないため、受信波の到達時間に比較的近い位置でのゼロクロス時間を獲得できるが、残念ながら獲得されるゼロクロス時間は真の超音波伝播時間ではなく、とりわけ濃度測定においては真の超音波伝播時間と検出されたゼロクロス時間との差異が測定誤差に大きく影響する。また、たとえば特開昭６０−１３８４２２号公報には、受信波形の包絡線波形から算出された近似式に基づいて包絡線波形の立ち上がり時間を検出し、真の超音波伝播時間とする方法が記載されている。しかしながら、包絡線波形から超音波伝播時間を推定する方法においては、包絡線波形を得るために受信波形をサンプリングするためのハ−ドウェアを必要とし、また、包絡線を計算するために複雑な信号処理を必要とするため、安価で小型の装置を作成することが困難であった。
【００１２】
本発明は、複雑な信号処理やハ−ドウェアを必要とせずにサンプルガスの濃度を測定する方法、および、必要最小限の部品のみを用いることで安価かつ小型の超音波反射式ガス濃度測定装置およびそれを搭載した酸素濃縮装置を提供することを目的としている。
【００１３】
【課題を解決するための手段】
本発明者らは、かかる目的を達成するために鋭意研究した結果、サンプルガスの流れる配管中に、対向させて配置した超音波振動子と超音波反射板、および、受信超音波のゼロクロス時間検出回路、温度センサを具備する超音波反射式ガス濃度測定方法および装置において、サンプルガスの取り得る濃度範囲、および、温度範囲から、サンプルガス中を伝播する超音波の音速の取り得る範囲を事前に知ることで、好適な超音波振動子と超音波反射板との間の距離を設定すれば、サンプルガス温度とゼロクロス時間のみを検出することで、受信超音波の波形情報を獲得することなく、静止サンプルガス中における超音波伝播時間を正確に検出でき、サンプルガスの濃度を測定することができることを見出したものである。
【００１４】
【発明の実施の形態】
以下に実施例を示す。本実施例においては、酸素と窒素の２分子からなるサンプルガスの、酸素濃度を測定する方法および装置に関して示す。さらに、本実施例では、サンプルガスの酸素濃度範囲が０［％Ｏ２］〜１００［％Ｏ２］であり、また、サンプルガスの温度範囲は、５［℃］〜３５［℃］である場合に関して示す。また、本実施例では、中心周波数が４０［ｋＨｚ］の超音波振動子を使用する。本発明によって測定できるサンプルガスは、本実施例に示す酸素と窒素からなるサンプルガスだけに限定されるものではなく、他の分子によって構成されるガスに対しても容易に適用できる。また、サンプルガスの取り得る濃度範囲、温度範囲も本実施例における範囲に限定されるものではなく、他の範囲においても容易に適用できる。さらに、超音波振動子の中心周波数も４０［ｋＨｚ］に限定されるものではなく、他の中心周波数を持つ超音波振動子に対しても容易に適用できる。
【００１５】
超音波反射式酸素濃度測定手段の構成は図１に示すとおりである。サンプルガスの流れる配管１の中に超音波振動子２と超音波反射板１０を対向させて配置し、該超音波振動子２の送受信を切り替える切り替え器４、該超音波振動子２に超音波送信パルスを伝えるドライバ５、超音波受信波形のゼロクロス時間を検出するゼロクロス時間検出回路６、サンプルガスの濃度を算出するためのマイクロコンピュ−タ７、及び、配管１の中にサンプルガスの温度を測定する温度センサ３を備える。
【００１６】
超音波の送受信により、受信超音波のゼロクロス時間を検出する方法は各種提案されている。最も簡便な方法は、ゼロクロスコンパレ−タを搭載し、コンパレ−タ出力の立ち上がりエッジ、もしくは、立ち下りエッジを検出するものである。図２に超音波受信波形の一例を示す。超音波の受信波形には各種ノイズ成分が含まれるため、正確にゼロクロス時間を検出するためには、受信振幅が十分大きくなったところにてゼロクロスコンパレ−タの出力を獲得することが望ましい。すなわち、獲得されるゼロクロス時間は受信超音波の第一波目ではなく、それ以降の例えば第３波目や、第４波目にて得られることになる。
【００１７】
図３に、本実施例でのゼロクロス時間検出回路６におけるゼロクロス時間検出方法を示す。ゼロクロス検出回路６には、ノイズレベルよりも十分大きい電圧値にて受信波形の存在を検出するためのトリガコンパレ−タ、および、トリガコンパレ−タの出力が発生した時間（図３中のトリガ検出位置）以降のゼロクロス時間を検出できるゼロクロスコンパレ−タを含む。獲得するゼロクロス時間は１点ではなく、連続した数点を取ることが望ましい。連続した数点のゼロクロス時間を獲得することによって、事前に超音波の受信周波数が不明な場合においても、該ゼロクロス時間の間隔から、受信周波数を計算できるためである。本実施例においては、連続した３点のゼロクロス時間（図３中のＺｃ１、Ｚｃ２、Ｚｃ３）を獲得することとした。
【００１８】
受信超音波のゼロクロス間隔は、常に中心周波数から計算される１周期分の時間間隔となるはずである。中心周波数４０［ｋＨｚ］の超音波振動子を用いる場合の１周期分の時間は、１／４００００［ｓｅｃ］＝２５［μｓｅｃ］となる。すなわち、ゼロクロス検出回路６にて得られた先頭のゼロクロス時間は超音波受信時間そのものではないが、該ゼロクロス時間から２５［μｓｅｃ］の整数倍を巻き戻した時間のいずれかに真の超音波受信時間が存在することになる。
【００１９】
すなわち、獲得されたゼロクロス時間が第何波目以降のゼロクロス時間であるか不明であっても、先述の超音波伝播時間の取り得る範囲内に、該ゼロクロス時間から１周期の整数倍だけ巻き戻して得られる時間が常に１つだけ存在する振動子間距離Ｌを設定することで、容易に真の超音波伝播時間を推定できることになる。
【００２０】
以下、超音波振動子と超音波反射板との間の距離を好適に設定する方法に関して示す。
サンプルガスの濃度範囲が既知であれば、各温度での流速ゼロにおけるサンプルガス中を伝播する音速の範囲は、式１を用いて容易に計算できる。酸素の分子量を３２、窒素の分子量を２８とすれば、例えば、温度２０℃の場合において、酸素濃度０％の場合の音速は式１より、３４９．１［ｍ／ｓｅｃ］となり、酸素濃度１００％の場合の音速は、３２６．６［ｍ／ｓｅｃ］と計算される。すなわち、サンプルガスの酸素濃度が変化した場合において、２０℃におけるサンプルガス中の音速は、常に３２６．６［ｍ／ｓｅｃ］〜３４９．１［ｍ／ｓｅｃ］の範囲に収まることになり、該範囲の両端を音速の上限、下限とする。
【００２１】
サンプルガス温度の取り得る範囲である５℃〜３５℃において計算される、温度と音速の関係をグラフ化したものを、図４に示す。図４にて明らかなように、音速Ｃの上限、下限は温度Ｔの関数として表すことができ、温度Ｔにおける音速の上限をＣｍａｘ（Ｔ）、下限をＣｍｉｎ（Ｔ）とする。
【００２２】
次に、好適にしたい超音波振動子２と超音波反射板１０との間の距離をＬｓ［ｍ］とする。音速の取り得る範囲が先述の通りあらかじめ分かっているため、超音波伝播時間の取り得る範囲は、Ｌｓを用いて表すことができる。すなわち超音波伝播時間の取り得る範囲は、２Ｌｓ／Ｃｍａｘ（Ｔ）［ｓｅｃ］  〜  ２Ｌｓ／Ｃｍｉｎ（Ｔ）［ｓｅｃ］である。
【００２３】
該超音波伝播時間の取り得る範囲に、ゼロクロス時間検出回路６にて得られる該ゼロクロス時間から１周期の整数倍だけ巻き戻して得られる時間が常に１つだけにするためには、伝播時間の取り得る範囲が超音波の１周期分の時間未満であれば良い（図５）。超音波の周波数をｆｒ［Ｈｚ］とすれば、１周期の時間は１／ｆｒ［ｓｅｃ］となる。すなわち、下記式２を常に満たすＬｓを選定すれば良い。
【００２４】
【数２】
2004361306.tif 000003
【００２５】
“２Ｌｓ  ／  Ｃｍｉｎ（Ｔ）  −  ２Ｌｓ  ／  Ｃｍａｘ（Ｔ）”の値を最大にする温度Ｔは、本実施例においてはサンプルガスの温度範囲下限の５℃である。５℃におけるＣｍａｘ（５℃）、Ｃｍｉｎ（５℃）はそれぞれ、Ｃｍａｘ（５℃）＝３４０．１［ｍ／ｓｅｃ］、Ｃｍｉｎ（５℃）＝３１８．１［ｍ／ｓｅｃ］となる。さらに、本実施例における超音波の周波数ｆｒは、ｆｒ＝４０［ｋＨｚ］＝４００００［Ｈｚ］であるため、式３を満たす振動子間距離Ｌｓは、Ｌｓ＜６．１［ｃｍ］となり、およそ６［ｃｍ］未満の距離となるように超音波振動子２と超音波反射板１０を設置すれば良いことになる。本実施例においては、超音波振動子２と超音波反射板１０の間の距離として、５［ｃｍ］を採用した。
【００２６】
以下、本実施例におけるサンプルガスの酸素濃度測定方法に関して述べる。サンプルガス投入中において、マイクロコンピュ−タ７より超音波の送信パルスをドライバ５に送り、送受信切り替え器４を通して超音波振動子２にパルス電圧が印加され、超音波が送信される。超音波送信後、超音波反射板１０によって反射された超音波を該超音波振動子２にて受信できるよう、送受信切り替え器４にて該超音波振動子２を受信可能状態にする。その後、超音波反射板１０にて反射して該超音波振動子２によって受信された超音波は、送受信切り替え器４を介して、ゼロクロス検出回路６に入力され、得られたゼロクロス時間３つ（Ｚｃ１、Ｚｃ２、Ｚｃ３）をマイクロコンピュ−タ７に送る。
【００２７】
続いて、マイクロコンピュ−タ７は、超音波振動子と超音波反射板との間の距離をＬｓ［ｍ］とし（本実施例においては、Ｌｓ＝０．０５［ｍ］）、温度センサ３の出力Ｔ℃を読み取り、サンプルガスの温度Ｔ℃に応じた超音波伝播時間の範囲２Ｌｓ／Ｃｍａｘ（Ｔ）［ｓｅｃ］〜２Ｌｓ／Ｃｍｉｎ（Ｔ）［ｓｅｃ］を計算する。さらに、該ゼロクロス時間から該超音波伝播時間の範囲に入るまで、受信超音波の１周期分の時間＝２５［μｓｅｃ］の整数倍を巻き戻していき、超音波伝播時間ｔｓ［ｓｅｃ］を確定する（図５）。この結果より、静止したサンプルガス中の超音波伝播速度Ｃｓ［ｍ／ｓｅｃ］は次式３にて求めることができる。
【００２８】
【数３】
2004361306.tif 000004
【００２９】
ここで、酸素の分子量をＭＯ２、窒素の分子量をＭＮ２、温度センサ出力のＴ［℃］を単位変換してＴｓ［Ｋ］とし、求めたい酸素濃度をＰｓとして式１を変形すると、次式４が得られる。
【００３０】
【数４】
2004361306.tif 000005
【００３１】
式４より、サンプルガスの酸素濃度は１００×Ｐｓ［％］として測定できる。もしくは、サンプルガスの酸素濃度は、サンプルガス中の超音波伝播速度と、酸素１００％、窒素１００％のガス中の超音波伝播速度の比として求めることも可能である。すなわち、式１を用いれば温度Ｔｓ［Ｋ］における酸素１００％中の超音波伝播速度ＣＯ２［ｍ／ｓｅｃ］、窒素１００％中の超音波伝播速度ＣＮ２［ｍ／ｓｅｃ］は容易に求めることができ、サンプルガス中の超音波伝播速度Ｃｓ［ｍ／ｓｅｃ］を使い、以下の式５によっても、Ｐｓを計算できる。
【００３２】
【数５】
2004361306.tif 000006
【００３３】
上記の計算は、マイクロコンピュ−タ７にて実施され、濃度測定結果は表示器８に表示される。
【００３４】
上記超音波反射式酸素濃度測定手段を医療用酸素濃縮装置に組み込んだ構成を図６に示す。かかる酸素濃縮装置は圧力変動吸着方式の２塔式酸素濃縮装置であり、コンプレッサ１２により加圧空気を吸着塔１１に供給し、酸素よりも窒素を選択的に吸着するゼオライト１３Ｘ吸着剤で窒素を吸着させ、酸素を取り出すものである。酸素濃縮空気は製品タンク１６に一旦貯溜された後、調圧弁１７、流量設定器２１を経て超音波式酸素濃度測定手段１８に供給され、酸素濃度を検知する。かかる実施態様例は２塔式酸素濃縮装置であるが、１塔式、多塔式、圧力変動吸着式や酸素富化膜を用いた膜式、固体電解質膜を用いるものなど、各種酸素濃縮器に適用可能である。
【図面の簡単な説明】
【図１】本発明の超音波反射式酸素濃度測定手段の構成を示す概略図。
【図２】超音波受信波形の一例。
【図３】ゼロクロス時間検出回路によるゼロクロス時間検出方法の例。
【図４】温度と音速の関係。
【図５】静止したサンプルガス中の超音波伝播時間を求める例。
【図６】本発明の医療用酸素濃縮装置の概略構成図。
【符号の説明】
１  配管
２  超音波振動子
３  温度センサ
４  送受信切り替え器
５  ドライバ
６  ゼロクロス検出回路
７  マイクロコンピュ−タ
８  表示器
９  不揮発性メモリ
１０  超音波反射板
１１  吸着筒
１２  コンプレッサ
１３  フィルタ
１４  切り替え弁
１５  逆止弁
１６  製品タンク
１７  調圧弁
１８  超音波式酸素濃度測定手段
１９  製品フィルタ
２１  流量測定器
【図１】
2004361306.tif 000007
【図２】
2004361306.tif 000008
【図３】
2004361306.tif 000009
【図４】
2004361306.tif 000010
【図５】
2004361306.tif 000011
【図６】
2004361306.tif 000012